(57)【要約】【課題】縦枠に設けられた気密材と下枠に設けられた気密材との接続部分に隙間が生じた場合でも、この隙間から屋内に水が入り込むことを抑制することができる建具を提供する。【解決手段】枠体２は、上枠と、下枠２２と、上枠の端部および下枠２２の端部と連結される第１縦枠および第２縦枠（一対の縦枠）と、を有し、框３５は、上框と、下框３２と、上框の端部および下框３２の端部と連結される戸先框および吊元框（一対の縦框）と、を有し、下框３２には、枠体２側に突出し、第１縦枠気密材（第１縦枠に設けられた気密材）と下枠気密材４２（下枠に設けられた気密材）との下側戸先接続部分４５（接続部分）よりも屋外１１側となる位置に配置され、少なくとも下端部５２ｄが下側戸先接続部分４５よりも下側となる位置に配置される水切り部材５が設けられている。【選択図】図２
2020122378.tif 000002
【特許請求の範囲】
【請求項１】
開口部に沿って設けられた枠体と、
前記枠体に支持された回動軸回りに回動して前記開口部を開閉する障子と、
前記枠体に前記開口部の全周を囲むように取り付けられ、前記枠体と前記障子の框と隙間を閉塞する気密材と、を有する建具において、
前記枠体は、前記開口部の上縁部に沿って設けられる上枠と、前記開口部の下縁部に沿って設けられる下枠と、上枠の端部および下枠の端部と連結され前記開口部の側縁部に沿って設けられる一対の縦枠と、を有し、
前記框は、前記障子の上縁部に沿って設けられる上框と、前記障子の下縁部に沿って設けられる下框と、上框の端部および下框の端部と連結され前記障子の側縁部に沿って設けられる一対の縦框と、を有し、
前記下框には、前記枠体側に突出し、前記縦枠に設けられた前記気密材と前記下枠に設けられた前記気密材との接続部分よりも屋外側となる位置に配置され、少なくとも下端部が前記接続部分よりも下側となる位置に配置される水切り部材が設けられていることを特徴とする建具。
【請求項２】
前記障子は、前記回動軸が上下方向に延び、前記回動軸よりも一対の縦框のうちの一方の戸先框が設けられている側が屋外側に移動して前記開口部を開閉するように構成され、
前記水切り部材は、前記縦枠に設けられた前記気密材と前記下枠に設けられた前記気密材との接続部分のうちの少なくとも前記戸先框側の前記縦枠に設けられた前記気密材と前記下枠に設けられた前記気密材との接続部分近傍の屋外側となる位置に設けられている請求項１に記載の建具。
【発明の詳細な説明】
【技術分野】
【０００１】
本発明は、建具に関する。
【背景技術】
【０００２】
従来、開口部に設けられる縦すべり出し窓や横すべり出し窓などの建具では、障子が開口部を閉鎖する際に、枠体の屋外側の面に設けられた気密材（パッキン）に、障子の框における屋内側の面が屋外側から当接し、枠体と框との隙間が塞がれるように構成されている（例えば、特許文献１参照）。
気密材は、枠体の縦枠および横枠（上枠、下枠）それぞれの長さ方向の全体にわたって設けられていて、縦枠に設けられた気密材と横枠に設けられた気密材とは、それぞれの端部が隙間なく接続されるように付き合わされている。
【先行技術文献】
【特許文献】
【０００３】
【特許文献１】特開２０１２−１５４１４７号公報
【発明の概要】
【発明が解決しようとする課題】
【０００４】
しかしながら、気密材に物や人が引っかかり負荷がかかったり、気密材が経年劣化したりすると、縦枠に設けられた気密材と横枠に設けられた気密材との接続部分に隙間が生じる虞がある。縦枠に設けられた気密材と下枠に設けられた気密材との接続部分に隙間が生じた状態で暴風雨が生じ、屋外の気圧が屋内の気圧よりも高くなると、下枠と下框との間に水が入り込んだ水が縦枠に設けられた気密材の下端部と下枠に設けられた気密材との接続部分に生じた隙間から屋内に入り込み、水しぶきが生じる虞がある。
【０００５】
そこで、本発明は、縦枠に設けられた気密材と下枠に設けられた気密材との接続部分に隙間が生じた場合でも、この隙間から屋内に水が入り込むことを抑制することができる建具を提供することを目的とする。
【課題を解決するための手段】
【０００６】
上記目的を達成するため、本発明に係る建具は、開口部に沿って設けられた枠体と、前記枠体に支持された回動軸回りに回動して前記開口部を開閉する障子と、前記枠体に前記開口部の全周を囲むように取り付けられ、前記枠体と前記障子の框と隙間を閉塞する気密材と、を有する建具において、前記枠体は、前記開口部の上縁部に沿って設けられる上枠と、前記開口部の下縁部に沿って設けられる下枠と、上枠の端部および下枠の端部と連結され前記開口部の側縁部に沿って設けられる一対の縦枠と、を有し、前記框は、前記障子の上縁部に沿って設けられる上框と、前記障子の下縁部に沿って設けられる下框と、上框の端部および下框の端部と連結され前記障子の側縁部に沿って設けられる一対の縦框と、を有し、前記下框には、前記枠体側に突出し、前記縦枠に設けられた前記気密材と前記下枠に設けられた前記気密材との接続部分よりも屋外側となる位置に配置され、少なくとも下端部が前記接続部分よりも下側となる位置に配置される水切り部材が設けられていることを特徴とする。
【０００７】
本発明では、下框には、枠体側に突出し、縦枠に設けられた気密材と下枠に設けられた気密材との接続部分よりも屋外側となる位置に配置され、少なくとも下端部が接続部分よりも下側となる位置に配置される水切り部材が設けられていることにより、下枠と下框との間に屋外から水が入り込むことを抑制することができる。
縦枠に設けられた気密材と下枠に設けられた気密材との接続部分に隙間が生じた状態で、暴風雨が生じて屋外の気圧が屋内の気圧よりも高くなると、縦枠に設けられた気密材の下端部と下枠に設けられた気密材との接続部分に生じた隙間から下枠と下框との間に入り込んだ水が屋内に入り込むことがある。本発明では、下枠と下框との間に水が入り込むことを抑制することができるため、縦枠に設けられた気密材と下枠に設けられた気密材との接続部分に隙間が生じた場合でも、この隙間から屋内に水が入り込むことを抑制することができる。
【０００８】
また、本発明に係る建具では、前記障子は、前記回動軸が上下方向に延び、前記回動軸よりも一対の縦框のうちの一方の戸先框が設けられている側が屋外側に移動して前記開口部を開閉するように構成され、前記水切り部材は、前記縦枠に設けられた前記気密材と前記下枠に設けられた前記気密材との接続部分のうちの少なくとも前記戸先框側の前記縦枠に設けられた前記気密材と前記下枠に設けられた前記気密材との接続部分近傍の屋外側となる位置に設けられていてもよい。
【０００９】
一対の縦框のうちの他方となる吊元框側の縦枠に設けられた気密材と下枠に設けられた気密材との接続部分近傍の室外側には、回動軸の部品が設けられ、この部品によって下枠と下框との間における吊元框側に屋外から水が入り込むことを抑制できることがある。このため、吊元框側の縦枠に設けられた気密材と下枠に設けられた気密材との接続部分に隙間が生じた状態で、暴風雨が生じて屋外の気圧が屋内の気圧よりも高くなっても、吊元框側の縦枠に設けられた気密材の下端部と下枠に設けられた気密材との接続部分に生じた隙間から屋内に水が入り込むことを抑制することができる。
このような場合に、水切り部材が少なくとも戸先框側の縦枠に設けられた気密材と下枠に設けられた気密材との接続部分近傍の屋外側となる位置に設けられることにより、下枠と下框との間における吊元側および戸先框側のそれぞれに屋外から水が入り込むことを抑制することができる。その結果、縦枠（戸先框および吊元框）に設けられた気密材と下枠に設けられた気密材との接続部分に隙間が生じてしまった場合でも、この隙間から屋内に水が入り込むことを抑制することができる。
「戸先框側の縦枠」とは、障子が開口部を閉鎖した際に戸先框が対向する縦枠を示し、「吊元框側の縦枠」とは、障子が開口部を閉鎖した際に吊元框が対向する縦枠を示している。
【発明の効果】
【００１０】
本発明によれば、縦枠に設けられた気密材と下枠に設けられた気密材との接続部分に隙間が生じた場合でも、この隙間から屋内に水が入り込むことを抑制することができる。
【図面の簡単な説明】
【００１１】
【図１】本発明の実施形態による建具（すべり出し窓）の一例を示す正面図である。
【図２】図１のＡ−Ａ線断面図である。
【図３】図１のＢ−Ｂ線断面図である。
【図４】水切り部材の斜視図である。
【発明を実施するための形態】
【００１２】
以下、本発明の実施形態による建具について、図１−図４に基づいて説明する。
図１に示すように、本実施形態による建具は、すべり出し窓１であり、屋外１１（図２参照）と屋内１２（図２参照）とを仕切る壁部１３に形成された開口部１４に設けられた枠体２と、枠体２の内部に設けられた障子３と、を有している。本実施形態によるすべり出し窓１は、障子３が上下方向に延びる回動軸２５回りに回動するとなっている。
以下では、屋外１１と屋内１２とを結ぶ水平方向（図１の紙面に直交する方向）を屋内外方向とし、屋内外方向に直交する水平方向（壁部１３に沿った水平方向、図１の左右方向）を左右方向とする。図１は、すべり出し窓１を屋内１２側から見た正面図である。
また、障子３が開口部１４を開放している状態を開放状態とし、障子３が開口部１４を閉塞している状態と閉塞状態とする。障子３の説明では、障子３が閉塞状態であるものとする。
【００１３】
枠体２は、開口部１４の上縁部に沿って左右方向に延びる上枠２１と、開口部１４の下縁部に沿って左右方向に延びる下枠２２と、開口部１４の左右方向の一方側の縁部に沿って上下方向に延び、上枠２１および下枠２２の左右方向の一方側の端部と連結される第１縦枠２３と、開口部１４の左右方向の他方側の縁部に沿って上下方向に延び、上枠２１および下枠２２の左右方向の他方側の端部と連結される第２縦枠２４とを有している。
上枠２１、下枠２２、第１縦枠２３および第２縦枠２４は、四方枠を構成している。
上枠２１および下枠２２には、すべり出し窓１の障子３を左右方向に移動可能かつ上下方向に延びる回動軸２５回りに回動可能に支持するリンク機構（不図示）が設けられている。リンク機構は、すべり出し窓１を開閉させる公知の構造となっている。
【００１４】
障子３は、四方枠状に形成された框３５と、框３５の内側にはめ込まれた板面が長方形状のガラス３６と、を有している。
框３５は、ガラス３６の上縁部に沿って左右方向に延びる上框３１と、ガラス３６の下縁部に沿って左右方向に延びる下框３２と、ガラス３６の左右方向の一方側の縁部に沿って上下方向に延び上框３１および下框３２の左右方向の一方側の端部と連結される戸先框３３と、ガラス３６の左右方向の他方側の縁部に沿って上下方向に延び上框３１および下框３２の左右方向の他方側の端部と連結される吊元框３４と、を有している。
障子３は、閉塞状態となると、上框３１が上枠２１と対向し、下框３２が下枠２２と対向し、戸先框３３が第１縦枠２３と対向し、吊元框３４が第２縦枠２４と対向する。
【００１５】
吊元框３４は、すべり出し窓１の回動軸２５が設けられ、上端部および下端部がリンク機構に連結されている。すべり出し窓１は、障子３がリンク機構にガイドされて回動軸２５よりも戸先框３３側が屋外１１側に移動することで開口部１４を開閉するように構成されている。吊元框３４は、障子３が閉鎖状態となると第２縦枠２４と対向する。
戸先框３３は、屋内１２側にレバーハンドル３３１が設けられている。レバーハンドル３３１は、障子３の開閉時に使用者が把持可能であるとともに、すべり出し窓１の施錠機構（不図示）の施錠状態と解錠状態とを切り替えるように構成されている。戸先框３３は、障子３が閉鎖状態となると第１縦枠２３と対向する。
【００１６】
上枠２１は、屋外１１側を向く鉛直面となる上枠屋外側面２１ａを有している。上框３１は、屋内１２側を向く鉛直面となり、上枠屋外側面２１ａと対向する上框屋内側面３１ａを有している。
上枠屋外側面２１ａには、左右方向全体にわたって上枠気密材４１が設けられている。上枠気密材４１は、障子３が閉鎖状態となると、上框屋内側面３１ａと当接し、上枠２１と上框３１との隙間を塞ぐように構成されている。
【００１７】
図２に示すように、下枠２２は、屋外１１側を向く鉛直面となる下枠屋外側面２２ａを有している。下框３２は、屋内１２側を向く鉛直面となり、下枠屋外側面２２ａと対向する下框屋内側面３２ａを有している。
下枠屋外側面２２ａには、左右方向全体にわたって下枠気密材４２が設けられている。下枠気密材４２は、障子３が閉鎖状態となると、下框屋内側面３２ａと当接し、下枠２２と下框３２との隙間を塞ぐように構成されている。
【００１８】
図３に示すように、第１縦枠２３は、屋外１１側を向く鉛直面となる第１縦枠屋外側面２３ａを有している。戸先框３３は、屋内１２側を向く鉛直面となり、第１縦枠屋外側面２３ａと対向する戸先框屋内側面３３ａを有している。
第１縦枠屋外側面２３ａには、左右方向全体にわたって第１縦枠気密材４３が設けられている。第１縦枠気密材４３は、障子３が閉鎖状態となると、戸先框屋内側面３３ａと当接し、第１縦枠２３と戸先框３３との隙間を塞ぐように構成されている。
図３では、ガラス３６および下框３２のガラス押えなどを省略している。
【００１９】
図１に示すように、第２縦枠２４は、屋外１１側を向く鉛直面となる第２縦枠屋外側面２４ａを有している。吊元框３４は、屋内１２側を向く鉛直面となり、第２縦枠屋外側面２４ａと対向する吊元框屋内側面３４ａを有している。
第１縦枠屋外側面２３ａには、左右方向全体にわたって第２縦枠気密材４４が設けられている。第２縦枠気密材４４は、障子３が閉鎖状態となると、吊元框屋内側面３４ａと当接し、第２縦枠２４と吊元框３４との隙間を塞ぐように構成されている。
【００２０】
上枠気密材４１の左右方向の一方側の端部は、第１縦枠気密材４３の上端部と当接し隙間なく接続している。上枠気密材４１の左右方向の他方側の端部は、第２縦枠気密材４４の上端部と当接し隙間なく接続している。
下枠気密材４２の左右方向の一方側の端部は、第１縦枠気密材４３の下端部と当接し隙間なく接続している。下枠気密材４２の左右方向の他方側の端部は、第２縦枠気密材４４の下端部と当接し隙間なく接続している。
上枠気密材４１、下枠気密材４２、第２縦枠気密材４４、第１縦枠気密材４３は、開口部１４の全周を囲み、長方形を描くように枠状の気密材４を構成している。
【００２１】
以下では、下枠気密材４２の左右方向の一方側の端部と第１縦枠気密材４３の下端部との接続部分を、気密材４の下側戸先接続部分４５とする。図２では、気密材４の下側戸先接続部分４５では、図２の断面図の切断面よりも手前側に位置している。図３では、気密材４の下側戸先接続部分４５では、図３の断面図の切断面よりも奥側に位置している。
【００２２】
下枠２２は、左右方向（長さ方向）全体にわたってほぼ同じ断面形状に形成されている。
図２に示すように、下枠２２は、下側に設けられ板面が略上下方向を向く下枠下板部２２１と、下枠下板部２２１の屋内１２側の端部から上側に延びる第１下枠屋内側板部２２２と、第１下枠屋内側板部２２２の上端部から屋内１２側に延びる下枠上板部２２３と、下枠上板部２２３の屋内１２側の端部から下側に延びる第２下枠屋内側板部２２４と、第１下枠屋内側板部２２２の上下方向の中間部から屋内１２側に延びて第２下枠屋内側板部２２４の上下方向の中間部と接続される下枠中板部２２５と、下枠下板部２２１の屋外１１側の端部から下側に延びる下枠屋外側板部２２６と、を有している。
【００２３】
下枠下板部２２１には、屋内外方向の中間部に、上側に突出する突出板部２２７が突設されている。突出板部２２７は、下枠下板部２２１から上側に延びる第１片２２７ａと、第１片２２７ａの上端部から屋内１２側に延びる第２片２２７ｂとを有し、断面形状がＬ字形状に形成されている。
第１下枠屋内側板部２２２は、屋外１１側の面２２２ａの上端部近傍に下枠気密材４２を係止する下枠気密材係止部２２８が設けられている。第１屋内１２側板部の屋外１１側の面２２２ａは、上述した下枠屋外側面２２ａに相当している。
【００２４】
下框３２は、左右方向（長さ方向）全体にわたってほぼ同じ断面形状に形成されている。下枠２２は下側に設けられて板面が上下方向を向く下框下板部３２１と、下框下板部３２１の屋内１２側の端部から上側に延びる第１下框屋内側板部３２２と、下框下板部３２１の屋内１２側の端部から下側に延びる第２下框屋内側板部３２３と、第１下框屋内側板部３２２の上端部から屋外１１側にのびる下框上板部３２４と、下框下板部３２１の屋外１１側の端部から上側に延びる第１下框屋外側板部３２５と、下框下板部３２１の屋外１１側の端部から下側に延びる第２下框屋外側板部３２６と、第１下框屋内側板部３２２の上下方向の中間部から屋外１１側に延びて第１下框屋外側板部３２５の上下方向の中間部と接続される下框中板部３２７と、を有している。
第２下框屋内側板部３２３の屋内１２側の面３２３ａは、障子３が開口部１４を閉鎖した際に下枠気密材４２と当接するように構成されている。第２下框屋内側板部３２３の屋内１２側の面３２３ａは、上述した下框屋内側面３２ａに相当している。
【００２５】
図１−図３に示すように、下框３２の左右方向一方側（戸先框３３と接続される側）の端部近傍には、水切り部材５が取り付けられている。水切り部材５は、下框下板部３２１の下側に取り付けられ、下框下板部３２１よりも下側に突出している。
図２−図４に示すように、水切り部材５は、平板状に形成され板面が水平面となる向きで下框下板部３２１（図２および図３参照）に固定される固定部５１と、平板状に形成され板面が屋内外方向を向く鉛直面となる向きで固定部５１の屋外１１側の縁部から下側に突出する水切り本体５２と、を有している。
固定部５１は、板面が長尺の長方形状に形成され、左右方向に長くなる向きに配置されている。固定部５１には、板面を貫通するが左右方向に間隔をあけて２つ形成されている。孔部５１１は、固定部５１を下框下板部３２１に固定するネジなどの固定具５３（図２参照）が挿通される。
【００２６】
水切り本体５２は、板面が長尺の長方形状に形成され、左右方向に長くなる向きに配置されている。水切り本体５２は、固定部５１よりも左右方向に長く形成されている。
固定部５１と水切り本体５２とは、それぞれの左右方向の他方側の端部５１ａ，５２ａが左右方向に同じ位置となるように配置され、固定部５１の屋外１１側の縁部５１ｂと水切り本体５２の上縁部５２ｂとが接続されている。水切り本体５２は、固定部５１よりも左右方向の一方側に突出している。
【００２７】
図３に示すように、水切り部材５は、固定部５１が下框３２の左右方向の中間部に固定され、水切り本体５２の左右方向の一方側の端部５２ｃが下框３２の左右方向の一方側の端部の下側に位置し、戸先框３３側に突出しないように配置されている。
図２に示すように、水切り本体５２は、下框３２の下框下板部３２１の屋内外方向の中間部の下側に位置し、下枠２２の突出板部２２７の第１片２２７ａの鉛直方向上側に隙間をあけて配置されている。水切り本体５２の下端部５２ｄは、第２下框屋外側板部３２６の下端部３２６ａよりも上側に配置されている。
水切り本体５２（水切り部材５）の左右方向の寸法は、すべり出し窓１の左右方向の寸法の１０〜２０％の値に設定することが好ましい。例えば、すべり出し窓１の左右方向の寸法が１０００ｍｍの場合は、水切り本体５２の左右方向の寸法を１００〜２００ｍｍとし、すべり出し窓１の左右方向の寸法が５００ｍｍの場合は、水切り本体５２の左右方向の寸法を５０〜１００ｍｍとする。
【００２８】
図１および図３に示すように、水切り本体５２は、左右方向の一方側の端部５２ｃ（戸先框３３側の端部）が気密材４の下側戸先接続部分４５よりも左右方向の一方側に配置され、左右方向の他方側の端部５２ａ（固定部５１側の端部）が、気密材４の下側戸先接続部分４５よりも左右方向の他方側に配置される。図１および図２に示すように、水切り本体５２は、下端部５２ｄが気密材４の下側戸先接続部分４５よりも下側に配置されている。
【００２９】
本実施形態では、下枠気密材４２と吊元側の第２縦枠気密材４４との接続部分近傍の屋外１１側には、回動軸２５の部品が設けられている。
【００３０】
次に、上述した本実施形態によるすべり出し窓（建具）の作用・効果について図面を用いて説明する。
上述した本実施形態によるすべり出し窓１は、下框３２には、下枠２２側に突出し、気密材４の下側戸先接続部分４５よりも屋外１１側となる位置に配置され、水切り本体５２の下端部５２ｄが気密材４の下側戸先接続部分４５よりも下側となる位置に配置される水切り部材５が設けられていることにより、下枠２２と下框３２との間における戸先框側（左右方向の一方側）に屋外１１から水が入り込むことを抑制することができる。
気密材４の下側戸先接続部分４５に隙間が生じた状態で、暴風雨が生じて屋外１１の気圧が屋内１２の気圧よりも高くなると、下側戸先接続部分４５の隙間から下枠２２と下框３２との間に入り込んだ水が屋内１２に水が入り込むことがある。本実施形態では、下枠２２と下框３２との間に水が入り込むことを抑制することができるため、気密材４の下側戸先接続部分４５に隙間が生じた場合でも、この隙間から屋内１２に水が入り込むことを抑制することができる。
【００３１】
なお、下枠気密材４２と吊元側の第２縦枠気密材４４との接続部分近傍の屋外１１側には、回動軸２５の部品が設けられているため、この部品によって下枠２２と下框３２との間における吊元框３４側に屋外１１から水が入り込むことを抑制できる。このため、下枠気密材４２と第２縦枠気密材４４との接続部分に隙間が生じた状態で、暴風雨が生じて屋外１１の気圧が屋内１２の気圧よりも高くなっても、この隙間から屋内１２に水が入り込むことを抑制することができる。
【００３２】
以上、本発明によるすべり出し窓（建具）の実施形態について説明したが、本発明は上記の実施形態に限定されるものではなく、その趣旨を逸脱しない範囲で適宜変更可能である。
例えば、上記の実施形態では、すべり出し窓１は、縦すべり出し窓であるが、横すべり出し窓であってもよい。このような場合は、一対の縦枠のうちの一方の縦枠に設けられた気密材４と下枠２２に設けられた気密材４との接続部分の屋外１１側となる位置、および他方の縦枠に設けられた気密材４と下枠２２に設けられた気密材４との接続部分の屋外１１側となる位置の両方に水切り部材５が設けられていることが好ましい。
なお、一対の縦枠のうちの一方の縦枠に設けられた気密材４と下枠２２に設けられた気密材４との接続部分の屋外１１側となる位置に設けられる水切り部材５と、他方の縦枠に設けられる気密材４と下枠２２に設けられた気密材４との接続部分の屋外１１側となる位置に設けられる水切り部材５とは、一体に設けられていてもよいし、別体で設けられていてもよい。
【００３３】
また、上記の実施形態では、水切り部材５は、気密材４の下側戸先接続部分４５の屋外１１側となる位置のみに設けられ、下枠気密材４２と吊元側の第２縦枠気密材４４との接続部分の屋外１１側には、この接続部分をカバーするように回動軸２５の部品が設けられている。これに対し、下枠気密材４２と第２縦枠気密材４４との接続部分の屋外１１側に回動軸２５の部品が設けられていない場合は、下枠気密材４２と第２縦枠気密材４４との接続部分の屋外１１側となる位置に水切り部材５が設けられていてもよい。
この場合も、気密材４の下側戸先接続部分４５の屋外１１側となる位置に設けられる水切り部材５と、下枠気密材４２と第２縦枠気密材４４との接続部分の屋外１１側となる位置に設けられる水切り部材５とは、一体に設けられていてもよいし、別体で設けられていてもよい。
水切り部材５が設けられる位置は、下枠気密材４２と第１縦枠気密材４３または第２縦枠気密材４４との接続部分よりも屋外１１側となる位置に配置され、少なくとも下端部が接続部分よりも下側となる位置に配置されていれば、下框３２に対する左右方向の位置は適宜設定されてよい。また、水切り部材５の左右方向の先端部が下框３２の左右方向の一方側および他方側に突出し、戸先框３３や吊元框３４の下側に位置するように設けられていてもよい。
また、水切り部材５の下框３２への固定方法は上記以外であってもよく、固定部５１の形態も上記以外であってもよい。
【００３４】
また、上記の実施形態では、すべり出し窓１の回動軸２５が吊元框３４に設けられているが、吊元框３４よりも戸先框３３に向かった位置に設けられていてもよい。
また、上記の実施形態では、水切り部材５が設けられる建具はすべり出し窓１であるが、障子が枠体に支持された回動軸回りに回動して開口部を開閉する建具であれば、開き窓や開き戸などであってもよい。
【符号の説明】
【００３５】
１  すべり出し窓（建具）
２  枠体
３  障子
４  気密材
５  水切り部材
１４  開口部
２１  上枠
２２  下枠
２３  第１縦枠（縦枠、戸先框側の縦枠）
２４  第２縦枠（縦枠）
２５  回動軸
３１  上框
３２  下框
３３  戸先框（縦框）
３４  吊元框（縦框）
３５  框
４２  下枠気密材（気密材）
４３  第１縦枠気密材（気密材）
４４  第２縦枠気密材（気密材）
４５  下側戸先接続部分（接続部分）
【図１】
2020122378.tif 000003
【図２】
2020122378.tif 000004
【図３】
2020122378.tif 000005
【図４】
2020122378.tif 000006